(57)【特許請求の範囲】
【請求項１】
後鏡筒と、
前記後鏡筒に組みつけられ前記後鏡筒と共に収容空間を形成する前鏡筒と、
撮像光学系を保持し前記収容空間に収容されたレンズ保持部と、
前記レンズ保持部を前記撮像光学系の光軸に沿って移動可能に支持する案内機構と、
前記レンズ保持部を前記撮像光学系の光軸に沿って移動させる駆動部とを備え、
前記駆動部は、
前記レンズ保持部に設けられたマグネットと、
前記マグネットに臨むコイルとを備えたカメラモジュールであって、
前記後鏡筒は、前記収容空間に臨む底壁を有し、
前記コイルは、前記収容空間内で前記光軸を挟んだ前記後鏡筒の箇所に対向して配設された第１、第２コイルとを含んで構成され、
前記第１コイルを構成する巻線と前記第２コイルを構成する巻線とが中継線を介して電気的に接続されることで直列接続され、
前記中継線は、前記収容空間と反対側に位置する前記底壁の面に沿って前記第１コイルと前記第２コイルとの間を延在する部分を有している、
ことを特徴とするカメラモジュール。
【請求項２】
前記前鏡筒は筒状を呈し、
前記底壁は、前記光軸と交差する面上を延在し前記前鏡筒の後端が合わせられる合わせ面と、その反対に位置する後面とを有し、
前記第１、第２コイルは、それらコイルを構成する巻線の巻回中心軸方向に薄い厚さを有すると共にこの厚さと直交する方向で前記光軸方向に沿った高さと、前記高さと直交する幅とを有する扁平な板状を呈し、
前記第１、第２コイルは、それらの厚さ方向の面を平行させて配設され、
前記合わせ面よりも前記底壁の内側の箇所で、かつ、前記第１、第２コイルの幅方向の同じ側の一端に臨む前記底壁の箇所に、該底壁を貫通し前記巻線の挿通を可能とした欠部がそれぞれ設けられ、
前記中継線は、前記第１コイルを構成する巻線が前記第１コイルから離され前記欠部から前記後面に引き出される第１巻線部分と、前記第２コイルを構成する巻線が前記第２コイルから離され前記欠部から前記後面に引き出される第２巻線部分と、前記後面において前記第１、第２巻線部分を接続する接続部分とで構成されている、
ことを特徴とする請求項１記載のカメラモジュール。
【請求項３】
前記後面には、前記中継線に当接可能で前記光軸から離れる方向への前記中継線の動きを阻止するストッパ壁が膨出形成されている、
ことを特徴とする請求項２記載のカメラモジュール。
【請求項４】
前記第１、第２コイルは、それらコイルを構成する巻線の巻回中心軸方向に薄い厚さを有すると共にこの厚さと直交する方向で前記光軸方向に沿った高さと、前記高さと直交する幅とを有する扁平な板状を呈し、
前記底壁の互いに対向する箇所にそれぞれコイル取り付け部が設けられ、
前記第１、第２コイルは、前記コイル取り付け部にそれらの厚さ方向の面を平行させて取着され、
前記各コイル取り付け部は、
前記第１、第２コイルの幅方向の両端に位置するように前記底壁から互いに間隔をおいて突設された２つの柱部と、
前記２つの柱部に、前記収容空間の外側に臨む同一面上を延在するように形成され前記第１、第２コイルの厚さ方向の一方の面が当て付けられるコイル当て付け面と、
前記２つの柱部の間の前記底壁から突設されそれら２つの柱部間に延在する起立壁と、
前記起立壁に、前記一方の面が前記コイル当て付け面に当て付けられた前記第１、第２コイルの厚さ方向の他方の面に臨むように設けられた接着剤充填用壁面と、
を備えることを特徴とする請求項１記載のカメラモジュール。
【請求項５】
前記第１、第２コイルは、その幅方向の両端で前記厚さ方向の一方の面が各柱部の前記コイル当て付け面に当て付けられ接着剤により取着されると共に、前記第１、第２コイルの厚さ方向の他方の面と前記接着剤充填用壁面との間に充填された接着剤により取着されている、
ことを特徴とする請求項４記載のカメラモジュール。
【請求項６】
前記接着材充填用壁面は、前記底壁から離れるにつれて前記第１、第２コイルの厚さ方向の他方の面から次第に離れる傾斜面で形成されている、
を備えることを特徴とする請求項４記載のカメラモジュール。
【請求項７】
前記中継線の一部に該中継線の弛みを除去するための屈曲部を設けた、
ことを特徴とする請求項１記載のカメラモジュール。
【請求項８】
前記屈曲部は接着剤により前記後鏡筒に固定されている、
ことを特徴とする請求項７記載のカメラモジュール。
【発明の詳細な説明】
【技術分野】
【０００１】
本発明は例えば携帯用の電子機器などに組み込まれるカメラモジュールに関する。
【背景技術】
【０００２】
近年、カメラモジュールが組み込まれた携帯電話機、あるいはＰＤＡ（Ｐｅｒｓｏｎａｌ  Ｄｉｇｉｔａｌ  Ａｓｓｉｓｔａｎｔｓ）などの電子機器が提供されている。
カメラモジュールは、撮像光学系を保持するレンズ保持部と、レンズ保持部を収容する鏡筒部と、鏡筒内でレンズ保持部を撮像光学系の光軸に沿って移動可能に支持するスプリングと、撮像光学系によって導かれる被写体像を撮像する撮像素子と、レンズ保持部を光軸に沿って移動させる駆動部とを備えている（特許文献１参照）。
【特許文献１】特開２００７−１０８５９７
【発明の開示】
【発明が解決しようとする課題】
【０００３】
ところで、近年、カメラモジュールが組み込まれる電子機器は小型化、薄型化、軽量化が図られていることから、如何にしてカメラモジュールの小型化を図るかが大きな課題となっている。
本発明はこのような事情に鑑みなされたものであり、本発明の目的は小型化を図る上で有利なカメラモジュールを提供することにある。
【課題を解決するための手段】
【０００４】
上述の目的を達成するため、本発明は、後鏡筒と、前記後鏡筒に組みつけられ前記後鏡筒と共に収容空間を形成する前鏡筒と、撮像光学系を保持し前記収容空間に収容されたレンズ保持部と、前記レンズ保持部を前記撮像光学系の光軸に沿って移動可能に支持する案内機構と、前記レンズ保持部を前記撮像光学系の光軸に沿って移動させる駆動部とを備え、前記駆動部は、前記レンズ保持部に設けられたマグネットと、前記マグネットに臨むコイルとを備えたカメラモジュールであって、前記後鏡筒は、前記収容空間に臨む底壁を有し、前記コイルは、前記収容空間内で前記光軸を挟んだ前記後鏡筒の箇所に対向して配設された第１、第２コイルとを含んで構成され、前記第１コイルを構成する巻線と前記第２コイルを構成する巻線とが中継線を介して電気的に接続されることで直列接続され、前記中継線は、前記収容空間と反対側に位置する前記底壁の面に沿って前記第１コイルと前記第２コイルとの間を延在する部分を有していることを特徴とする。
【発明の効果】
【０００５】
そのため、本発明によれば、第１、第２コイルの中継線を、収容空間と反対側に位置する底壁のデッドスペースである面を利用して配設したので、中継線を配置するためのスペースを確保する必要が無く、底壁の小型化を図れ、ひいては、カメラモジュールの小型化を図る上で有利となる。
【発明を実施するための最良の形態】
【０００６】
次に本発明の実施の形態について図面を参照して説明する。
図１（Ａ）、（Ｂ）は本実施の形態に係るカメラモジュール２０が組み込まれた電子機器の一例を示す外観図である。
図１に示すように電子機器１０は携帯電話機であり、ヒンジ部１２によって揺動可能に連結された第１、第２の筐体１４、１６を有している。
第１の筐体１４の内面には液晶表示パネル１４０２が設けられ、第２の筐体１６の内面にはテンキーや機能キーなどの操作スイッチ１６０２が設けられている。
カメラモジュール２０は被写体像を捉える撮像光学系２８を有している。
カメラモジュール２０は、撮像光学系２８を第１の筐体１４に設けられた開口１４１０に臨ませた状態で第１の筐体１４の内部に組み込まれ、カメラモジュール２０で撮像した画像は液晶表示パネル１４０２に表示される。
【０００７】
次に、本発明に係るカメラモジュール２０の構成について詳細に説明する。
図２（Ａ）、（Ｂ）はカメラモジュール２０の斜視図、図３、図４はカメラモジュール２０の分解斜視図である。
図５は、前鏡筒２２、レンズ保持部３０、後鏡筒２４の組み立て説明図である。
図３４は図２のＸＸ線断面図、図３５は図２のＹＹ線断面図である。
なお、本実施の形態では、被写体側を前方、その反対側を後方として説明する。
カメラモジュール２０は、図３、図４に示すように、上記の撮像光学系２８に加えて、前鏡筒２２と、後鏡筒２４と、カバー２６と、レンズ保持部３０と、前スプリング３２と、後スプリング３４と、撮像素子３６と、駆動部３８（図３４、図３５）などを含んで構成されている。
【０００８】
（前鏡筒２２）
図６は前鏡筒２２を前方から見た斜視図、図７は前鏡筒２２を後方から見た斜視図、図８は前鏡筒２２の平面図、図９は図８のＡ矢視図、図１０は図８のＢ矢視図、図１１は前鏡筒２２の後面図、図１２は前スプリング３２が組み込まれた前鏡筒２２の後面図である。
前鏡筒２２は、後鏡筒２４に組みつけられ後鏡筒２４と共に収容空間Ｓを形成するものである。
図６乃至１１に示すように、前鏡筒２２は筒状を呈し、前鏡筒２２は周壁４０を含んで構成され、この周壁４０の内面は、撮像光学系２８（図５）の光軸の周囲に位置する収容空間Ｓ（図３４、図３５）の側面を仕切っている。
周壁４０は、互いに対向する１組の第１側壁４２と、互いに対向する他の１組の第２側壁４４とを有し、矩形枠状を呈している。
それら側壁４２、４４は前記光軸方向に沿った高さとこの高さに直交する方向の幅を有し、本実施の形態では、２つの第１側壁４２の内面で幅方向の中央に膨出壁４６が高さ方向に沿ってそれぞれ延在形成されている。
前鏡筒２２は合成樹脂材料を金型で成形することで形成されている。
図７に示すように、２つの第１側壁４２が後方に臨む後端面は第１、第２合わせ面４２０２、４２０４として形成されている。
また、２つの第２側壁４４が後方に臨む後端面は第３、第４合わせ面４４０２、４４０４として形成されている。
【０００９】
（第１、第２コイル５８、６０）
駆動部３８は第１、第２コイル５８、６０を含んで構成されている。
第１、第２コイル５８、６０は、それらコイルを構成する巻線の巻回中心軸方向に薄い厚さを有すると共にこの厚さと直交する方向で前記光軸方向に沿った高さと、前記高さと直交する幅とを有するほぼ同一形状の扁平な板状を呈している。
本実施の形態では、第１、第２コイル５８、６０は、図１９、図２０に示すように、２つの平行する直線部と、直線部の両端を接続する２つの湾曲部とを有する長円状を呈し、中央に細長い中央開口が形成されている。
第１コイル５８を構成する巻線と第２コイル６０を構成する巻線とは、中継線６２を介して電気的に接続されることで直列接続されている。
本実施の形態では、第１、第２コイル５８、６０、中継線６２は単一の巻線で形成されている。
【００１０】
（後鏡筒２４）
図１３は後鏡筒２４を前方から見た斜視図、図１４は後鏡筒２４を後方から見た斜視図、図１５は後鏡筒２４の平面図、図１６は図１５のＡ矢視図、図１７は図１５のＢ矢視図、図１８は後鏡筒２４の後面図である。
図１９、図２０はコイルが取着された後鏡筒２４を前方から見た斜視図、図２１はコイルが取着された後鏡筒２４を後方から見た斜視図、図２２はコイルが取着された後鏡筒２４の平面図、図２３は図２２のＡ矢視図、図２４は図２２のＢ矢視図、図２５はコイルが取着された後鏡筒２４の後面図、図２６は後鏡筒２４の後部に後スプリング３４が当て付けられた状態を示す説明図である。
【００１１】
図１３乃至１８に示すように、後鏡筒２４は、底壁４８と、開口５０と、係合突起５２と、コイル取り付け部５４を有している。
底壁４８は、前記光軸と直交する面上を延在し収容空間Ｓの前記光軸方向の後端を閉塞する矩形状に形成され、したがって、底壁４８の前面は収容空間Ｓに臨んでいる。
底壁４８は、互いに対向する２組の辺４８０２、４８０４を有し、一方の１組の辺４８０２に、後スプリング３４を取り付けるためのピン５６がそれぞれ突設されている。
そして、残りの１組の辺４８０４にコイル取り付け部５４が設けられ、言い換えると、コイル取り付け部５４は、前記光軸を挟んだ底壁４８の２箇所に設けられている。
【００１２】
第１、第２コイル５８、６０は、コイル取り付け部５４にそれらの厚さ方向の面を平行させ、高さ方向の両端および幅方向の両端を揃えて取着されている。
これにより、第１、第２コイル５８、６０は、図３、図３５に示すように、収容空間Ｓ内で光軸を挟んだ後鏡筒２４の箇所に対向して配設され、また、前記光軸を通る単一の仮想平面に対して平行させて配設される。
【００１３】
各コイル取り付け部５４は、２つの柱部５４０２と起立壁５４０４などを含んで構成されている。
２つの柱部５４０２は、第１、第２コイル５８、６０の幅方向の両端に位置するように底壁４８から互いに間隔をおいて突設されている。
２つの柱部５４０２に、収容空間Ｓの外側に臨む同一面上を延在するように形成され、第１、第２コイル５８、６０の厚さ方向の一方の面が当て付けられるコイル当て付け面５４０２Ａが設けられている。
起立壁５４０４は、２つの柱部５４０２の間の底壁４８から突設されそれら２つの柱部５４０２間に延在している。
起立壁５４０４に、一方の面がコイル当て付け面５４０２Ａに当て付けられた第１、第２コイル５８、６０の厚さ方向の他方の面に臨むように接着剤充填用壁面５４０４Ａが設けられている。
接着剤充填用壁面５４０４Ａは、底壁４８から離れるにつれて第１、第２コイル５８、６０の厚さ方向の他方の面から次第に離れる傾斜面で形成されている。
また、図１３に示すように、２つの柱部５４０２のコイル当て付け面５４０２Ａの互いに離れた箇所から膨出壁５４１０が突設され、この膨出壁５４１０に前鏡筒２２の内面に係合するガイド面５４１２が形成されている。
【００１４】
図１３、図１５に示すように、底壁４８の１組の辺４８０２のうちの一方の辺４８０２に沿った底壁４８の前面箇所に第１合わせ面４８１０が形成されている。
また、底壁４８の１組の辺４８０２のうちの他方の辺４８０２に沿った底壁４８の前面箇所に第２合わせ面４８１２が形成されている。
底壁４８の残りの１組の辺４８０４のうちの一方の辺４８０４に沿った底壁４８の前面箇所の両端に第３合わせ面４８１４が形成されている。
底壁４８の残りの１組の辺４８０４のうちの他方の辺４８０４に沿った底壁４８の前面箇所の両端に第４合わせ面４８１６が形成されている。
これら後鏡筒２４の第１乃至第４合わせ面４８１０、４８１２、４８１４、４８１６は、図７に示す前鏡筒２２の第１乃至第４合わせ面４２０２、４２０４、４４０２、４４０４にそれぞれ合わせられ対向している。
このように、前鏡筒２２と後鏡筒２４との合わせ面をそれぞれ合わせることで収容空間Ｓが密閉され防塵性が確保されている。
また、図１４に示すように、底壁４８は、第２合わせ面４８１２と反対に位置する後面４８１８を有し、この後面４８１８に後述する中継線６２（図２０）が配設される。
【００１５】
図１９、図２０、図２１、図２５に示すように、第２合わせ面４８１２よりも底壁４８の内側の箇所で、かつ、第１、第２コイル５８、６０の幅方向の同じ側の一端に臨む底壁４８の箇所に、該底壁４８を貫通し巻線の挿通を可能とした欠部４８２０がそれぞれ設けられている。
欠部４８０２は、底壁４８の外側に開放状に形成されている。
中継線６２は、第１コイル５８を構成する巻線が第１コイル５８から離され欠部４８０２から後面４８１８に引き出される第１巻線部分と、第２コイル６０を構成する巻線が第２コイル６０から離され欠部４８０２から後面４８１８に引き出される第２巻線部分と、収容空間Ｓと反対側に位置する底壁４８の後面４８１８に沿って第１コイル５８と第２コイル６０との間を直線状に延在する部分（接続部分）を有している。
後面４８１８には、中継線６２に当接可能で光軸から離れる方向への中継線６２の動きを阻止するストッパ壁４８２２が膨出形成されている。
【００１６】
（撮像素子３６）
撮像素子３６は撮像光学系２８によって導かれる被写体像を撮像するものである。
図３４、図３５に示すように、撮像素子３６は矩形板状の基板５６の前面に設けられている。
開口５０内に撮像素子３６が位置した状態で、基板５６が底壁４８の後面に接着されるとともに、底壁４８の前面に開口５０を覆う光学フィルター５１を接着することで撮像素子３６が封止され、したがって、撮像素子３６は後鏡筒５２に設けられている。
【００１７】
（カバー２６）
図２、図５に示すように、カバー２６は、前面部２６０２と、側面部２６０４とを備えている。
前面部２６０２は矩形板状を呈し、前鏡筒２２の前面を覆うものである。
前面部２６０２が撮像光学系２８に臨む箇所に開口２６０６が形成されている。
側面部２６０４は前面部２６０２の対向する２辺から屈曲形成され、前鏡筒２２および後鏡筒２４の両側を覆うものである。
各側面部２６０４には後鏡筒２４の各係合突起５２に係合する係合溝２６０８が設けられている。
カバー２６の各係合溝２６０８が各係合突起５２に係合することで、カバー２６の前面部２６０２と後鏡筒２４の底壁４８との間に前鏡筒２２が挟持され、これにより前鏡筒２２と後鏡筒８０とが結合されている。
【００１８】
（レンズ保持部３０）
図２７は後スプリング３４が当て付けられたレンズ保持部３０を前方から見た斜視図、図２８は後スプリング３４が当て付けられたレンズ保持部３０を後方から見た斜視図、図２９は後スプリング３４が当て付けられたレンズ保持部３０の平面図、図３０は図２９のＡ矢視図、図３１は図２９のＢ矢視図、図３２は後スプリング３４が当て付けられたレンズ保持部３０の後面図である。
【００１９】
レンズ保持部３０は、図３４、図３５に示すように、撮像光学系２８を保持して収容空間Ｓに収容され、撮像光学系２８は複数のレンズ群を含んで構成されている。
図２７乃至図３２に示すように、レンズ保持部３０は筒部３００２を有し、筒部３００２は撮像光学系２８が配置される内面と、前記内面と反対に位置する外面とを有している。
筒部３００２の外面の前後には、それぞれ前フランジ３００４、後フランジ３００６が形成されている。
また、図２７に示すように、筒部３００２の外側に周方向に等間隔をおいた４箇所には前フランジ３００４よりも前方に位置するようにスプリング当接面３００８が形成されており、これらスプリング当接面３００８は前記光軸と直交する平面上を延在している。
図２７、図２８に示すように、筒部３００２の前記外面の対向する２箇所に、前記光軸を通る単一の仮想平面に平行するマグネット取り付け用の取り付け面３０１０が形成されている。
また、図２８に示すように、後フランジ３００６の後面の４隅には、前記光軸と直交する単一の平面上を延在する４つのスプリング当接面３０１２がそれぞれ形成されている。
レンズ保持部３０は合成樹脂材料を金型で成形することで形成されている。
【００２０】
（前スプリング３２、後スプリング３４）
図３３は後スプリング３４の平面図である。
前スプリング３２、後スプリング３４は、図３４、図３５に示すように、収容空間Ｓに配設されレンズ保持部３０を撮像光学系２８の前記光軸に沿って移動可能に支持する案内機構を構成している。
前スプリング３２は前鏡筒２２とレンズ保持部３０の間に配設され、後スプリング３４は後鏡筒２４とレンズ保持部３０の間に配設されるものである。
図３に示すように、前スプリング３２、後スプリング３４は、薄く小さい幅の片体から中央に撮像光学系２８の光路用の開口３２０２、３４０２がそれぞれ確保されるように環状に形成されている。
より詳細に説明すると、図１２に示すように、前スプリング３２は、内側に開口３２０２が形成された環板部３２０４と、環板部３２０４の外周に接続された２つの支持片３２０６とを有し、前記光軸方向に弾性変形可能に形成されている。
前スプリング３２は、各支持片３２０６の外周部分が前鏡筒２２の各膨出壁４６の前部４６０２に取着され、開口３２０２にレンズ保持部３０の筒部３００２の前部が挿通され環板部３２０４がレンズ保持部３０の４つのスプリング当接面３００８（図２７）に当接されて前鏡筒２２とレンズ保持部３０の間に配設されている。
本実施の形態では、図１２に示すように、２つの支持片３２０６の外周部分は前鏡筒２２の成形時に埋め込まれるインサート成形によって膨出壁４６の前部４６０２に取着されている。
【００２１】
図３３に示すように、後スプリング３４は、内側に開口３４０２が形成された環板部３４０４と、環板部３４０４の外周に接続された２つの支持片３４０６とを有している。
後スプリング３４は、図２８に示すように、環板部３４０４がレンズ保持部３０のスプリング当接面３０１２に接着されている。
そして、後スプリング３４の２つの支持片３４０６に形成された孔３４１０が後鏡筒２４のピン５６（図３４）に挿通され、支持片３４０６の孔３４１０の周囲の部分が、前鏡筒２２と後鏡筒２４との間で挟持され、これにより、後スプリング３４は、後鏡筒２４とレンズ保持部３０の間に配設されている。
また、本実施の形態では、後スプリング３４は２つの支持片３４０６で支持されることから２つの支持片３４０６と環板部３４０４との間に延在するばね部の長さを確保する上で有利である。
そのため、ばね部の撓み量と反力とのリニアリティを広く確保する上で有利となり、したがって、駆動部３８によってレンズ保持部３０を光軸方向に移動させる際の位置制御の負担が軽減されると共に、レンズ保持部３０の位置制御の特性の向上を図る上でも有利となる。
【００２２】
（第１、第２マグネット７０、７２）
駆動部３８は、レンズ保持部３０を前記光軸に沿って移動させるものであり、図３に示すように、第１、第２コイル５８、６０に加えて第１、第２マグネット７０、７２を有している。
本実施の形態では、図３、図３５に示すように、第１、第２マグネット７０、７２は、前記光軸方向に沿って延在する高さとこの高さよりも大きな寸法でこの高さと直交する方向に沿って延在する幅を有する長方形の板状に形成されている。
第１、第２マグネット７０、７２は、前記光軸を挟んだレンズ保持部３０の箇所で前記光軸を通る単一の仮想平面に対して平行させて配設されている。
具体的には、第１、第２マグネット７０、７２は、レンズ保持部３０の各取り付け面３０１０上に配置され接着されている。
本実施の形態では、第１、第２マグネット７０、７２は前記光軸に沿った両端にＮ極とＳ極が位置するように着磁されており、第１、第２マグネット７０、７２は、図３５に示すように、それらの磁束を効率よく第１、第２コイル５８、６０に導くための板状のヨーク７３を介して取り付け面３０１０に接着されている。
【００２３】
図２２乃至図２４に示すように、第１、第２コイル５８、６０の巻線の端部６３は、底壁４８から突設された軸部４８５０にそれぞれ巻回され、それら巻回部分６３Ａが半田付けにより基板５６（図５）の表面の図示しない半田付けパッドに半田付けで接続されている。
巻線には、基板５６から前記各半田付けパッドを介して駆動信号が供給され、これにより、第１、第２コイル５８、６０から磁界が発生する。
したがって、第１、第２コイル５８、６０によって発生する磁界と、第１、第２マグネット７０、７２の磁極から発生する磁界との相互作用によって第１、第２マグネット７０、７２に前記光軸方向への力（推力）が発生し、これにより、前スプリング３２、後スプリング３４によって保持されたレンズ保持部３０および撮像光学系２８が前記光軸方向に移動し、撮像光学系２８によって撮像素子３６の撮像面に結像される被写体像の合焦動作がなされる。
【００２４】
（組み立て方法）
次に、後鏡筒２４への第１、第２コイル５８、６０、基板５６の取り付けについて説明する。
予め、第１、第２コイル５８、６０は単一の巻線で巻回されて構成され、第１、第２コイル５８、６０が中継線６２で接続され、第１、第２コイル５８、６０のそれぞれから端部６３が導出されているものとする。
なお、第１、第２コイル５８、６０を後鏡筒２４に位置決めした状態で第１、第２コイル５８、６０を接続する中継線６２に十分な弛みが発生するように該中継線６２の長さが予め設定されている。
まず、調整治具を用いて第１、第２コイル５８、６０を把持して、中継線６２を欠部４８２０を通して後面４８１８に引き出し、中継線６２の中間部をストッパ壁４８２２よりも内側に位置させる。
次に、第１、第２コイル５８、６０の厚さ方向の一方の面を各コイル当て付け面５４０２Ａに当て付けた状態で位置決めを行い、第１、第２コイル５８、６０の厚さ方向の面を平行させ、高さ方向の両端および幅方向の両端を揃える。
位置決めが完了したならば、次に説明するように中継線６２の弛みを除去する。
すなわち、第１コイル５８を構成する巻線が第１コイル５８から離され欠部４８０２から後面４８１８に引き出される第１巻線部分Ｐ、あるいは、第２コイル６０を構成する巻線が第２コイル６０から離され欠部４８０２から後面４８１８に引き出される第２巻線部分Ｐを、図３７に示すように、コイル当て付け面５４０２Ａに沿ってピンセットなどの治具を用いてＳ字型に軽くひねり弛みを除去するための屈曲部を形成することで、中継線６２の弛みを除去する。
あるいは、図３８に示すように、巻線部分Ｐをコイル当て付け面５４０２Ａに沿ってピンセットなどの治具を用いてＵ字型に軽くひねり弛みを除去するための屈曲部を形成することで中継線６２の弛みを除去する。
あるいは、図３９に示すように、巻線部分Ｐをコイル当て付け面５４０２Ａに沿ってピンセットなどの治具を用いてＭ字型に軽くひねり弛みを除去するための屈曲部を形成することで中継線６２の弛みを除去する。
その状態で、軽くひねった巻線部分である屈曲部を、接着剤によりコイル当て付け面５４０２Ａに接着固定する。
すなわち、第１、第２コイル５８、６０を後鏡筒２４に位置決めした状態で中継線６２に弛みが発生するように設定したので、第１、第２コイル５８、６０をコイル当て付け面５４０２Ａに当て付けつつ、中継線６２を欠部４８２０を通して後面４８１８に引き出し、中継線６２の中間部をストッパ壁４８２２よりも内側に位置させるといった配線作業を簡単かつ確実に行える。
また、第１、第２コイル５８、６０を後鏡筒２４に位置決めした状態で中継線６２に弛みが発生するように設定したので、中継線６２を誤って後鏡筒２４の部分に引っ掛けることを防止できるので、作業性の向上を図る上で有利となる。
また、中継線６２の中間部をストッパ壁４８２２よりも内側に位置させた状態で中継線６２の弛みを除去することによって、中継線６２を後面４８１８の所望の位置に正確に位置させ、かつ、後面４８１８に沿って弛むことなく直線状に延在させて配置させることができ有利となる。
【００２５】
なお、コイル当て付け面５４０２Ａに沿ってピンセットなどの治具を用いて軽くひねることで中継線６２の弛みを除去する代わりに、後鏡筒２４に形成した弛み除去用の構造を利用して巻線部分Ｐを三次元的に変形させることで、中継線６２の弛みを除去するようにしてもよい。
すなわち、図４０に示すように、後鏡筒２４が巻線部分Ｐに臨む箇所に巻線部分Ｐの延在方向に沿って延在する当て付け面７４０２を有する起立壁７４を設ける。
この起立壁７４に、巻線部分Ｐと交差する方向に延在する２つの溝部７６と、溝部７６の間に位置する中間壁７８とを設ける。
中間壁７８にはＶ溝７８０２を設ける。
そして、２つの溝部７６に臨む巻線部分Ｐ箇所を、例えば、マイナスドライバーなどのような治具で溝部７６内に押し込むことで弛みを除去するための２つの屈曲部を形成し、また、それらの中間部をＶ溝７８０２に当て付ける。
これにより第１、第２コイル５８、６０を接続する中継線６２の弛みを除去する。
中継線６２の弛みが除去されたならば、中継線６２の適宜箇所を接着剤により当て付け面７４０２に接着固定する。
【００２６】
あるいは、図４１に示すように、後鏡筒２４が巻線部分Ｐに臨む箇所に巻線部分Ｐの延在方向に沿って延在する当て付け面７４０２を有する起立壁７４を設ける。
この起立壁７４に、巻線部分Ｐと交差する方向に延在する溝部８０を設ける。
そして、溝部８０に臨む巻線部分Ｐの箇所を、マイナスドライバーなどのような治具で溝部８０内に押し込むことで弛みを除去するための屈曲部を形成する。
次いで、屈曲部を形成したのち、屈曲部内で治具を回転させることで屈曲部の輪郭を拡張させ、これにより中継線６２の弛みを除去する。
中継線６２の弛みが除去されたならば、中継線６２の適宜箇所を接着剤により当て付け面７４０２に接着固定する。
このように弛み除去用の構造を利用して巻線部分Ｐを三次元的に変形させるようにすれば、より簡単な治具でより容易な作業によって、中継線６２の弛みを確実に除去すると同時に、中継線６２を所望の位置に配置することができ、作業性の向上を図る上で有利となる。
【００２７】
このようにして中継線６２の弛みが除去されたのち、第１、第２コイル５８、６０と各コイル当て付け面５４０２Ａとの間に接着剤を充填して接着材を硬化させ、第１、第２コイル５８、６０を仮止めする。
次いで、仮止めされた第１、第２コイル５８、６０の厚さ方向の他方の面と接着剤充填用壁面５４０４Ａとの間に接着剤を充填して接着剤を硬化させ、第１、第２コイル５８、６０を接着、固定する。
また、第１、第２コイル５８、６０の巻線の端部６３を底壁４８から突設された軸部４８５０にそれぞれ巻回し巻回部分６３Ａを形成する。
次いで、後鏡筒２４の後面と基板５６の前面とを接着剤を用いて接着し、巻回部分６３Ａを半田付けにより基板５６の図示しない半田付けパッドに半田付けで接続する。
これにより、後鏡筒２４に第１、第２コイル５８、６０と撮像素子３６と基板５６が組み付けられた第３ユニットＵ３（図５）が完成する。
【００２８】
次に、カメラモジュール２０の組み立て方法について説明する。
図５に示すように、前鏡筒２２に前スプリング３２が組み込まれた第１ユニットＵ１と、レンズ保持部３０に撮像光学系２８と第１、第２マグネット７０、７２と後スプリング３４とが組み込まれた第２ユニットＵ２と、上述のように構成された第３ユニットＵ３とを、それぞれ別々に組み立てて用意する。
そして、第２ユニットＵ２を第３ユニットＵ３に組み付ける。詳細には、図２６に示すように、後スプリング３４の孔３４１０に後鏡筒２４のピン５６を挿通して第２ユニットＵ２と第３ユニットＵ３とを合わせる。
次いで、その組み付けたものに第１ユニットＵ１を組み付ける。詳細には、前スプリング３２の開口３２０２にレンズ保持部３０の筒部３００２の前部を挿通し環板部３２０４をレンズ保持部３０の４つのスプリング当接面３００８に当接させて第１ユニットＵ１と第３ユニットＵ３とを合わせる。
最後に、カバー２６を第１ユニットＵ１の上に被せて、その係合溝２６０８を係合突起５２に係合させる。詳細には、カバー２６を第１ユニットＵ１の上に被せて、カバー２６の上面部２６０２と後鏡筒２４の底壁４８との間に前鏡筒２２を挟持させる。
これにより第１ユニットＵ１と、第２ユニットＵ２と、第３ユニットＵ３とが結合され、カメラモジュール２０が完成する。
【００２９】
以上説明したように本実施の形態によれば、第１、第２コイル５８、６０を電気的に接続する中継線６２を、収容空間Ｓと反対側に位置する底壁４８のデッドスペースである後面４８１８を利用して配設したので、中継線６２を配置するためのスペースを底壁４８の収容空間Ｓの臨む面に確保する必要が無く、底壁４８の小型化を図れ、ひいては、カメラモジュール２０の小型化を図る上で有利となる。
また、第２合わせ面４８１２よりも底壁４８の内側の箇所で、かつ、第１、第２コイル５８、６０の幅方向の同じ側の一端に臨む底壁４８の箇所に、底壁４８を貫通し巻線の挿通を可能とした欠部４８２０をそれぞれ設けたので、第１、第２コイル５８、６０の巻線をそれぞれ欠部４８２０を通り後面４８１８に引き出すことで、中継線６２を後面４８１８に沿って容易に配設することができ、作業性の向上を図る上で有利となる。
また、中継線６２に当接可能で光軸から離れる方向への中継線６２の動きを阻止するストッパ壁４８２２を後面４８１８に形成したので、中継線６２の配線作業の効率化を図れることは無論のこと、ストッパ壁４８２２を収容空間Ｓと反対側に位置する底壁４８のデッドスペースである後面４８１８を利用して配設したので、底壁４８の小型化を図れ、ひいては、カメラモジュール２０の小型化を図る上で有利となる。
また、前鏡筒４２の第２合わせ面４２０４が合わせられる底壁４８の第２合わせ面４８１２の反対側に位置する後面４８１８を利用して中継線６２を配設したので、カメラモジュール２０の組み立て作業において、前鏡筒４２の第２合わせ面４２０４と中継線６２とが接触するなどして中継線６２に無理な力が加わり中継線６２が切断されるといった不具合を確実に防止できるため、作業性の効率化を図る上で有利となる。
【００３０】
また、コイル取付部５４の接着剤充填用壁面５４０４Ａは、底壁４８から離れるにつれて第１、第２コイル５８、６０の厚さ方向の他方の面から次第に離れる傾斜面で形成されている。
したがって、接着剤充填用壁面５４０４Ａの上縁と第１、第２コイル５８、６０の厚さ方向の他方の面との間にスペースが確保されることになるため、このスペースを利用して接着剤を効率的に充填する上で有利となり、また、第１、第２コイル５８、６０のコイル取り付け部５４への接着強度を確保でき耐振動性、耐衝撃性の向上を図る上で有利となる。
【００３１】
（比較例）
次に比較例について説明する。
図３６は比較例における後鏡筒２４の斜視図である。
比較例が上述の実施の形態と異なるのは第１、第２コイル５８、６０の中継線６２の配置のみであり、その他の構成は実施の形態と同様であるため、実施の形態と同様な箇所には図面に同一の符号を付してその説明を省略する。
比較例では、前鏡筒２２の第２合わせ面４２０４（図７）と後鏡筒２４の第２合わせ面４８１２との間に中継線６２が挟み込まれて断線するなどの不都合を防止するために、中継線６２は、後鏡筒２４の底壁４８の前面のうち第２合わせ面４８１２の内側の箇所に延在して配設される。
この際、中継線６２を第２合わせ面４８１２の内側箇所に案内するための２つのガイド突起７４が底壁４８の前面に突設されている。
したがって、比較例においては、中継線６２を底壁４８の前面に配設することから、中継線６２を配置するためのスペースを底壁４８が収容空間に臨む前面の第２合わせ面４８１２の内側箇所に確保しなくてはならず、底壁４８を小型化する上で不利がある。
また、ガイド突起７４を底壁４８の第２合わせ面４８１２よりも内側に設けることから、より大きなスペースを底壁４８の前面の第２合わせ面４８１２の内側箇所に確保しなくてはならず、底壁４８を小型化する上で不利がある。
また、前鏡筒４２の第２合わせ面４２０４が合わせられる底壁４８の第２合わせ面４８１２の内側の箇所に中継線６２を配設したので、カメラモジュールの組み立て作業において、前鏡筒４２の第２合わせ面４２０４と中継線６２とが接触するなどして中継線６２に無理な力が加わり中継線６２が切断されることが懸念され、作業性の効率化を図る上で不利となる。
このように、比較例では、カメラモジュールの小型化を図る上で、また、作業性の効率化を図る上で不利があるのに対し、上述の構成によると、底壁４８の後面４８１８に中継線６２を配設するという極めて簡素な構成により、カメラモジュールの小型化を図れ、作業性の効率化を図ることができ有利となっている。
【００３２】
次に、後鏡筒２４とレンズ保持部３０と前鏡筒２２との位置決めについて説明する。
上述のようにカメラモジュール２０は、後鏡筒２４と、後鏡筒２４に組みつけられ後鏡筒２４と共に収容区間Ｓを形成する前鏡筒２２と、撮像光学系２８を保持し収容区間Ｓに収容されたレンズ保持部３０と、後鏡筒２４に支持され撮影光学系で導かれた被写体像を撮像する撮像素子３６と、レンズ保持部３０を撮像光学系２８の光軸に沿って移動可能に支持する案内機構と、レンズ保持部３０を撮像光学系２８の光軸に沿って移動させる駆動部３８とを備えている。
レンズ保持部３０は、光軸方向で撮像素子側に位置する後部と、光軸方向で後部と反対側の前部とを有している。
案内機構は、レンズ保持部３０の後部と、後鏡筒２４とにわたって設けられた薄い板ばね材からなる後スプリング３４と、レンズ保持部３０の前部と、前鏡筒２２とにわたって設けられた薄い板ばね材からなる前スプリング３２とを含んで構成されている。
【００３３】
そして、図１３に示すように、後鏡筒２４の光軸を挟んで対向する２箇所に光軸と平行し前方に突出する位置決めピン５６が設けられている。
本実施の形態では、後鏡筒２４は、光軸と交差する方向に延在し収容区間Ｓに臨む底壁４８を有し、位置決めピン５６は、収容区間Ｓに臨む箇所を挟んだ底壁４８の２箇所に設けられている。
【００３４】
図２６に示すように、後スプリング３４に、２本の位置決めピン５６がそれぞれ挿通される２つの挿通孔３４１０が設けられている。
２つの挿通孔３４１０のうちの一方は、位置決めピン５６に合致した円形に形成され、他方は長孔状に形成され、円形の挿通孔３４１０に一方の位置決めピン５６が挿通された状態で、長孔状の挿通孔３４１０に他方の位置決めピン５６が挿通されることで、円形の挿通孔３４１０を中心とする後スプリング３４の回転が阻止され、後スプリング３４が位置決めされることになる。
【００３５】
図７、図３４に示すように、前鏡筒２２に、２本の位置決めピン５６が係合される係合部８０が設けられている。
各係合部８０は互いに向かい合う箇所が開放されている。
２本の位置決めピン５６が、後スプリング３４の挿通孔３４１０に挿通されることで後鏡筒２４とレンズ保持部３０との光軸と直交する面内の位置決めがなされる。
２本の位置決めピン５６が、前鏡筒２２の係合部８０に係合されることで前鏡筒２２と後鏡筒２４との光軸と直交する面内の位置決めがなされる。
【００３６】
本実施の形態では、図２７に示すように、レンズ保持部３０は撮像光学系２８を保持する筒部３００２を有している。
筒部３００２の外周に前方を向いたスプリング当接面３００８が設けられている。
図１２に示すように、前スプリング３２はスプリング当接面３００８に当接可能な環板部３２０４を有している。
前スプリング３２の収容空間Ｓに臨む箇所を挟んだ２箇所が前鏡筒２２に取着され、前スプリング３２の環板部３２０４がスプリング当接面３００８に当接されることで前スプリング３２が配設されている。
【００３７】
また、図２８に示すように、レンズ保持部３０の後部で筒部３００２の半径方向外側の箇所に後方を向いたスプリング当接面３０１２が形成されている。
図３３に示すように、後スプリング３４はスプリング当接面３０１２に当接可能な環板部３４０４を有している。
後スプリング３４の環板部３４０４がスプリング当接面３０１２に取着されている。
後スプリング３４の収容空間Ｓに臨む箇所を挟んだ２箇所が前鏡筒２２と後鏡筒２４とに挟持されることで後スプリング３４が配設されている。
【００３８】
上記構成によれば、２本の位置決めピン５６により後鏡筒２４とレンズ保持部３０と前鏡筒２２との３つの部材が位置決めされるので、位置決め精度の向上を図る上で有利となり、また、小型化を図る上で有利となる。
【００３９】
なお、本実施の形態では、カメラモジュール２０が組み込まれる電子機器１０が携帯電話機である場合について説明したが、本発明の撮像装置は、例えば、ＰＤＡ、ノート型パーソナルコンピュータなどの携帯情報端末、あるいは、デジタルスチルカメラ、ビデオカメラなどの種々の電子機器に広く適用可能である。
【図面の簡単な説明】
【００４０】
【図１】（Ａ）、（Ｂ）は本実施の形態に係るカメラモジュール２０が組み込まれた電子機器の一例を示す外観図である。
【図２】（Ａ）、（Ｂ）はカメラモジュール２０の斜視図である。
【図３】カメラモジュール２０の分解斜視図である。
【図４】カメラモジュール２０の分解斜視図である。
【図５】前鏡筒２２、レンズ保持部３０、後鏡筒２４の組み立て説明図である。
【図６】前鏡筒２２を前方から見た斜視図である。
【図７】前鏡筒２２を後方から見た斜視図である。
【図８】前鏡筒２２の平面図である。
【図９】図８のＡ矢視図である。
【図１０】図８のＢ矢視図である。
【図１１】前鏡筒２２の後面図である。
【図１２】前スプリング３２が組み込まれた前鏡筒２２の後面図である。
【図１３】後鏡筒２４を前方から見た斜視図である。
【図１４】後鏡筒２４を後方から見た斜視図である。
【図１５】後鏡筒２４の平面図である。
【図１６】図１５のＡ矢視図である。
【図１７】図１５のＢ矢視図である。
【図１８】後鏡筒２４の後面図である。
【図１９】コイルが取着された後鏡筒２４を前方から見た斜視図である。
【図２０】コイルが取着された後鏡筒２４を前方から見た斜視図である。
【図２１】コイルが取着された後鏡筒２４を後方から見た斜視図である。
【図２２】コイルが取着された後鏡筒２４の平面図である。
【図２３】図２２のＡ矢視図である。
【図２４】図２２のＢ矢視図である。
【図２５】コイルが取着された後鏡筒２４の後面図である。
【図２６】後鏡筒２４の後部に後スプリング３４が当て付けられた状態を示す説明図である。
【図２７】後スプリング３４が当て付けられたレンズ保持部３０を前方から見た斜視図である。
【図２８】後スプリング３４が当て付けられたレンズ保持部３０を後方から見た斜視図である。
【図２９】後スプリング３４が当て付けられたレンズ保持部３０の平面図である。
【図３０】図２９のＡ矢視図である。
【図３１】図２９のＢ矢視図である。
【図３２】後スプリング３４が当て付けられたレンズ保持部３０の後面図である。
【図３３】後スプリング３４の平面図である。
【図３４】図２のＸＸ線断面図である。
【図３５】図２のＹＹ線断面図である。
【図３６】比較例における後鏡筒２４の斜視図である。
【図３７】中継線６２の弛みを除去するための屈曲部の一例を示す説明図である。
【図３８】中継線６２の弛みを除去するための屈曲部の他の例を示す説明図である。
【図３９】中継線６２の弛みを除去するための屈曲部のさらに他の例を示す説明図である。
【図４０】中継線６２の弛みを除去するための構造の一例を示す説明図である。
【図４１】中継線６２の弛みを除去するための構造の他の例を示す説明図である。
【符号の説明】
【００４１】
２０……カメラモジュール、２２……前鏡筒、２４……後鏡筒、２８……撮像光学系、３０……レンズ保持部、３２……前スプリング、３４……後スプリング、３８……駆動部、５８……第１コイル、６０……第２コイル、６２……中継線、７０……第１マグネット、７２……第２マグネット、４８……底壁、４８１８……後面、Ｓ……収容空間。
【図１】
0004457320.tif 000002
【図２】
0004457320.tif 000003
【図３】
0004457320.tif 000004
【図４】
0004457320.tif 000005
【図５】
0004457320.tif 000006
【図６】
0004457320.tif 000007
【図７】
0004457320.tif 000008
【図８】
0004457320.tif 000009
【図９】
0004457320.tif 000010
【図１０】
0004457320.tif 000011
【図１１】
0004457320.tif 000012
【図１２】
0004457320.tif 000013
【図１３】
0004457320.tif 000014
【図１４】
0004457320.tif 000015
【図１５】
0004457320.tif 000016
【図１６】
0004457320.tif 000017
【図１７】
0004457320.tif 000018
【図１８】
0004457320.tif 000019
【図１９】
0004457320.tif 000020
【図２０】
0004457320.tif 000021
【図２１】
0004457320.tif 000022
【図２２】
0004457320.tif 000023
【図２３】
0004457320.tif 000024
【図２４】
0004457320.tif 000025
【図２５】
0004457320.tif 000026
【図２６】
0004457320.tif 000027
【図２７】
0004457320.tif 000028
【図２８】
0004457320.tif 000029
【図２９】
0004457320.tif 000030
【図３０】
0004457320.tif 000031
【図３１】
0004457320.tif 000032
【図３２】
0004457320.tif 000033
【図３３】
0004457320.tif 000034
【図３４】
0004457320.tif 000035
【図３５】
0004457320.tif 000036
【図３６】
0004457320.tif 000037
【図３７】
0004457320.tif 000038
【図３８】
0004457320.tif 000039
【図３９】
0004457320.tif 000040
【図４０】
0004457320.tif 000041
【図４１】
0004457320.tif 000042